(57)【要約】【課題】  ディテントピンの動きを規制する部材の回動軸部を、従来に比べて小型化、軽量化できるシフトロック装置の提供。【解決手段】ディテントピン４がディテント溝２ａ内で第１のシフト位置対応位置４ａから第２のシフト位置対応位置４ｂに移動することを規制することで、シフトレバー３が第１のシフト位置３ａから第２のシフト位置３ｂに移動することを規制する、シフトロック装置１０であって、回動軸部２１と、ディテント溝２ａに出入り可能なストッパ部２２と、回動軸部２１とストッパ部２２とを連結する連結部２３と、を備えるリンク２０を有し、ストッパ部２２は、ストッパ部２２がディテント溝２ａに入り込んでおりディテントピン４が第１のシフト位置対応位置４ａから第２のシフト位置対応位置４ｂに移動するときに、連結部２３がたわむことでディテントピン４によって押されて動き、ディテント溝２ａの縁２ｂに当接する、シフトロック装置１０。【選択図】        図１
2007326470.tif 000002
【特許請求の範囲】
【請求項１】
ディテントピンがディテントプレートに設けられるディテント溝内で第１のシフト位置対応位置から第２のシフト位置対応位置に移動することを規制することで、シフトレバーが第１のシフト位置から第２のシフト位置に移動することを規制する、シフトロック装置であって、
回動軸部と、前記ディテント溝に出入り可能なストッパ部と、前記回動軸部と前記ストッパ部とを連結する連結部と、を備えるリンクを有し、
前記リンクのストッパ部は、該ストッパ部が前記ディテント溝に入り込んでおり前記ディテントピンが前記第１のシフト位置対応位置から前記第２のシフト位置対応位置に移動するときに、前記連結部がたわむことで前記ディテントピンによって押されて動き、前記ディテント溝の縁に当接する、シフトロック装置。
【請求項２】
前記ストッパ部が前記ディテント溝から出る方向に前記リンクを回動付勢する付勢バネと、
通電されたときに前記付勢バネの付勢力に抗して前記ストッパ部が前記ディテント溝に入り込む方向に前記リンクを回動させる電磁石と、
を有する請求項１記載のシフトロック装置。
【発明の詳細な説明】
【技術分野】
【０００１】
本発明は、ディテントピンがディテント溝内で移動することを規制してシフトレバーのシフトチェンジを規制する、シフトロック装置に関する。
【背景技術】
【０００２】
特開平６−３１３４７２号公報は、ディテントピンがディテント溝内で移動することを規制してシフトレバーのシフトチェンジを規制する、シフトロック装置を開示している。上記公報開示のシフトロック装置では、シフトノブボタンを押してディテントピンを下方へ移動させようとしても、その移動は、ベースに回動可能に取付けられるロックレバーに当接することによって規制されている。
【０００３】
しかし、従来のシフトロック装置にはつぎの問題点がある。
ロックレバーがベースに回動可能に取付けられているため、ディテントピンからの力がロックレバーの回動軸部にかかる。そのため、ロックレバーの回動軸部にディテントピンからの力に耐え得るだけの太さ（強度）が要求される。そのため、ロックレバーの回動軸部の大型化、重量化を招いてしまう。
【特許文献１】特開平６−３１３４７２号公報
【発明の開示】
【発明が解決しようとする課題】
【０００４】
本発明の目的は、ディテントピンの動きを規制する部材の回動軸部を、従来に比べて小型化、軽量化できるシフトロック装置を提供することにある。
【課題を解決するための手段】
【０００５】
上記目的を達成する本発明はつぎの通りである。
（１）  ディテントピンがディテントプレートに設けられるディテント溝内で第１のシフト位置対応位置から第２のシフト位置対応位置に移動することを規制することで、シフトレバーが第１のシフト位置から第２のシフト位置に移動することを規制する、シフトロック装置であって、
回動軸部と、前記ディテント溝に出入り可能なストッパ部と、前記回動軸部と前記ストッパ部とを連結する連結部と、を備えるリンクを有し、
前記リンクのストッパ部は、該ストッパ部が前記ディテント溝に入り込んでおり前記ディテントピンが前記第１のシフト位置対応位置から前記第２のシフト位置対応位置に移動するときに、前記連結部がたわむことで前記ディテントピンによって押されて動き、前記ディテント溝の縁に当接する、シフトロック装置。
（２）  前記ストッパ部が前記ディテント溝から出る方向に前記リンクを回動付勢する付勢バネと、
通電されたときに前記付勢バネの付勢力に抗して前記ストッパ部が前記ディテント溝に入り込む方向に前記リンクを回動させる電磁石と、
を有する（１）記載のシフトロック装置。
【発明の効果】
【０００６】
上記（１）のシフトロック装置によれば、リンクのストッパ部が、リンクの連結部がたわむことでディテントピンによって押されて動き、ディテント溝の縁に当接する。そのため、ディテントピンとディテント溝の縁（ディテントプレート）とでストッパ部を挟み込んで、ディテントピンが第１のシフト位置対応位置から第２のシフト位置対応位置に移動することを規制することができる。したがって、ディテントピンからの力をディテントプレートで受けることができ、ディテントピンからの力がリンクの回動軸部にかかることを防止できる。その結果、リンクの回動軸部（ディテントピンの動きを規制する部材の回動軸部）を従来に比べて小型化、軽量化できる。
上記（２）のシフトロック装置によれば、ストッパ部がディテント溝から出る方向にリンクを回動付勢する付勢バネと、通電されたときに付勢バネの付勢力に抗してストッパ部がディテント溝に入り込む方向にリンクを回動させる電磁石と、を有するので、簡易な構造でリンクのストッパ部をディテント溝に出入りさせることができる。
【発明を実施するための最良の形態】
【０００７】
図１〜図６は、本発明実施例のシフトロック装置と、該シフトロック装置が設けられるシフトレバー装置を示している。
まず、本発明実施例のシフトロック装置１０が設けられるシフトレバー装置１を、説明する。
【０００８】
シフトレバー装置１は、車両の内装部材であるインスツルメントパネル部位に配置されていてもよく、車両のフロアに配置されていてもよい。シフトレバー装置１は、ストレート式のシフトレバー装置である。
シフトレバー装置１は、図１に示すように、ディテント溝２ａが設けられるディテントプレート２と、シフトレバー３と、ディテントピン４と、を有する。
【０００９】
ディテントプレート２は、車両に対して固定されている。ディテントプレート２または該ディテントプレート２に対して固定される部材には、シフトレバー３の回動軸を構成するシャフト２ｃが取付けられている。ディテント溝２ａは、ディテントプレート２に設けられる孔である。
【００１０】
シフトレバー３は、シャフト２ｃを介してディテントプレート２または該プレート２に対して固定される部材に回動可能に支持される。シフトレバー３の上端部には、図示略のノブが取付けられている。該ノブには、ディテントピン４をシフトレバー３の下端側に移動させる図示略のシフトノブボタンが設けられている。
シフトレバー３は、互いに隣接するシフト位置である、第１のシフト位置３ａと、第２のシフト位置３ｂとを、取り得る。ここで、第１のシフト位置３ａは、例えばＮ（ニュートラル）位置であり、第２のシフト位置３ｂは、例えばＲ（リバース）である。ただし、第１のシフト位置３ａがＰ（パーキング）位置であり第２のシフト位置３ｂがＲ位置であってもよい（図示例では、第１のシフト位置３ａがＮ位置であり第２のシフト位置３ｂがＲ位置である場合を示している）。
【００１１】
ディテントピン４は、シフトレバー３に、シフトレバー３の軸方向に可動に支持されている。ディテントピン４は、シフトレバー３の軸方向と直交する方向に延びている。ディテントピン４は、ディテント溝２ａに入り込んでいる。ディテントピン４は、常時、図示略のピン付勢バネによりシフトレバー３に対して上方付勢されている。
ディテントピン４は、シフトレバー３が第１のシフト位置３ａにあるとき、ディテント溝２ａ内で第１のシフト位置対応位置４ａに位置し、シフトレバー３が第２のシフト位置３ｂにあるとき、ディテント溝２ａ内で第２のシフト位置対応位置４ｂに位置する。
【００１２】
ここで、ディテントピン４を第１のシフト位置対応位置４ａから第２のシフト位置対応位置４ｂに移動させるときの、作動を説明する。
シフトレバー３が第１のシフト位置３ａにありディテントピン４が第１のシフト位置対応位置４ａにある状態から、図示略のシフトノブボタンを操作して、ディテントピン４を図示略のピン付勢バネの付勢力に抗して押し下げる。その後、ディテントピン４を押し下げた状態でシフトレバー３を第１のシフト位置３ａから第２のシフト位置３ｂに移動させる。シフトレバー３が第２のシフト位置３ｂに到達した後、シフトノブボタンの操作を解除することにより、ディテントピン４はピン付勢バネの付勢力により上昇し第２のシフト位置対応位置４ｂに達する。
【００１３】
つぎに、本発明実施例のシフトロック装置１０を説明する。
本発明実施例のシフトロック装置１０は、ディテントピン４がディテント溝２ａ内で第１のシフト位置対応位置４ａから第２のシフト位置対応位置４ｂに移動することを規制することで、シフトレバー３が第１のシフト位置３ａから第２のシフト位置３ｂに移動することを規制する、シフトロック装置である。
【００１４】
シフトロック装置１０は、リンク２０と、付勢バネ３０と、電磁石（ソレノイドであってもよい）４０と、を有する。
リンク２０は、樹脂製である。リンク２０は、回動軸部２１と、ストッパ部２２と、回動軸部２１とストッパ部２２とを連結する連結部２３と、を備える。
【００１５】
回動軸部２１は、ディテントプレート２または該プレート２に対して固定される部材に回動可能に支持される。回動軸部２１がディテントプレート２または該プレート２に対して固定される部材に回動可能に支持されるため、リンク２０は、ディテントプレート２または該プレート２に対して固定される部材に回動可能に支持される。リンク２０の回動軸芯は、シフトレバー３の回動軸芯と直交している。回動軸部２１には、電磁石４０のプランジャ４２のフランジ部４２ａに当接する当接部２１ａが一体的に設けられている。
【００１６】
ストッパ部２２は、ブロック状である。ストッパ部２２は、リンク２０がリンク２０の回動軸芯まわりに回動することにより、ディテント溝２ａに出入り可能とされている。ストッパ部２２がディテント溝２ａに出入り可能とされているため、ストッパ部２２がディテント溝２ａに入り込んでいるとき、ストッパ部２２とディテント溝２ａの縁２ｂ（ディテントプレート２）（図６参照）との間には、若干の隙間がある。
【００１７】
ストッパ部２２がディテント溝２ａ内に入り込んでいるとき、ストッパ部２２は、第１のシフト位置対応位置４ａから第２のシフト位置対応位置４ｂに移動するディテントピン４の移動軌跡内に入り込んでいる。ストッパ部２２は、ストッパ部２２がディテント溝３ａに入り込んでおりディテントピン４が第１のシフト位置対応位置４ａから第２のシフト位置対応位置４ｂに移動するときに、連結部２３がたわむことでディテントピン４によって押されて動き、ディテント溝２ａの縁２ｂ（図６参照）に当接する。ストッパ部２２は、図２に示すように、ディテントピン４と当接面２２ａにて当接し、ディテント溝２ａの縁２ｂと、当接面２２ａの反対側（裏側）に位置するストッパ面２２ｂにて当接する。
【００１８】
連結部２３は、回動軸部２１からストッパ部２２まで延びる棒状である。連結部２３は、リンク２０の回動軸芯と平行な方向にのみ、樹脂弾性を利用してたわむことができる（弾性変形することができる）。連結部２３が樹脂弾性を利用してたわむことができるため、連結部２３は、ストッパ部２２がディテント溝２ａに入り込んでおりディテントピン４によって押されたとき、ストッパ部２２がディテント溝２ａの縁２ｂに接近する方向に移動することを許容する。
【００１９】
付勢バネ３０は、例えばトーションバネである。付勢バネ３０の一端はディテントプレート２または該プレート２に対して固定される部材に当てられており、付勢バネ３０の他端は回動軸部２１に当てられている。付勢バネ３０は、常時、リンク２０を、ストッパ部２２がディテント溝２ａから出る方向に回動付勢する。
【００２０】
電磁石４０は、本体部４１と、本体部４１に対して進退動可能なプランジャ４２を備える。
本体部４１は、ディテントプレート３または該プレート３に対して固定される部材に固定されている。
プランジャ４２は、通電されたとき、本体部４１に対して本端部４１内に入り込む方向に移動する。プランジャ４２は、回動軸部２１の当接部２１ａに当接するフランジ部４２ａを備えている。
電磁石４０は、通電されたとき、フランジ部４２ａが本体部４１内に入り込む方向に移動するとともに回動軸部２１の当接部２１ａを押し、リンク２０を、付勢バネ３０の付勢力に抗してストッパ部２２がディテント溝２ａに入り込む方向に回動させる。
【００２１】
ここで、本発明実施例の作動を説明する。
（ｉ）  電磁石４０が通電されておらず、ストッパ部２２がディテント溝２ａ内に入り込んでいないとき
ストッパ部２２は、ディテントピン４の移動軌跡内に入り込んでいない。そのため、ディテントピン４は第１のシフト位置対応位置４ａから第２のシフト位置対応位置４ｂに移動することができる。したがって、シフトレバー３を第１のシフト位置３ａから第２のシフト位置３ｂに移動させることができる。
【００２２】
（ｉｉ）  電磁石４０が通電され、ストッパ部２２がディテント溝２ａ内に入り込んでいるとき（シフトロック状態のとき）
ストッパ部２２は、ディテントピン４の移動軌跡内に入り込んでいる。そのため、図示略のシフトノブボタンを操作してディテントピン４を押し下げた状態でシフトレバー３を第１のシフト位置３ａから第２のシフト位置３ｂまで移動させるとき、ディテントピン４がストッパ部２２の当接面２２ａに当接する。さらにシフトレバー３を第２のシフト位置３ｂ側に移動させようとすると、ストッパ部２２がディテントピン４によって押される。ストッパ部２２がディテントピン４によって押されると、連結部２３がたわみ、ストッパ部２２は、ストッパ面２２ｂがディテント溝２ａの縁２ｂに当接するまで、ディテント溝２ａ内を移動する。ディテントピン４でストッパ部２２を押してストッパ面２２ｂが縁２ｂに当接したとき（ストッパ部２２をディテントピン４と縁２ｂとで挟み込んだとき）、ディテントピン４のそれ以上の第２のシフト位置対応位置４ｂ側への移動は、不能となる。そのため、シフトレバー３の第１のシフト位置３ａから第２のシフト位置３ｂへの移動は、ロックされる。
【００２３】
次に、本発明実施例の作用を説明する。
本発明実施例では、ストッパ部２２が、連結部２３がたわむことでディテントピン４によって押されて動き、ディテント溝２ａの縁２ｂに当接する。そのため、ディテントピン４とディテント溝２ａの縁２ｂとでストッパ部２２を挟み込んで、ディテントピン４が第１のシフト位置対応位置４ａから第２のシフト位置対応位置４ｂに移動することを規制することができる。したがって、ディテントピン４からの力をディテントプレート２で受けることができ、ディテントピン４からの力がリンク２０の回動軸部２１にかかることを防止できる。その結果、回動軸部２１（ディテントピンの動きを規制する部材の回動軸部）を従来に比べて小型化、軽量化できる。
また、ディテントプレート２は、本来、シフトレバー３を操作する腕の力に耐え得る強度を備えており、該プレート２でディテントピン４からの力を受けるため、シフトロック機構部（回動軸部２１、電磁石４０）にシフトロック強度を考慮した設計は不要である。
【００２４】
また、ストッパ部２２がディテント溝２ａから出る方向にリンク２０を回動付勢する付勢バネ３０と、通電されたときに付勢バネ３０の付勢力に抗してストッパ部２２がディテント溝２ａに入り込む方向にリンク２０を回動させる電磁石４０と、を有するので、簡易な構造でストッパ部２２をディテント溝２ａに出入りさせることができる。  
【図面の簡単な説明】
【００２５】
【図１】本発明実施例のシフトロック装置が設けられるシフトレバー装置の、透視側面図である。
【図２】図１の、シフトロック装置とその近傍を示す、部分拡大透視側面図である。
【図３】本発明実施例のシフトロック装置が設けられるシフトレバー装置の、リンクのストッパ部がディテントピンの移動軌跡に入り込んでいる場合の、シフトロック装置とディテントピンとその近傍を示す透視正面図である。
【図４】本発明実施例のシフトロック装置が設けられるシフトレバー装置の、リンクのストッパ部がディテントピンの移動軌跡から出ている場合の、シフトロック装置とディテントピンとその近傍を示す透視正面図である。
【図５】本発明実施例のシフトロック装置の、リンクのストッパ部の斜視図である。
【図６】本発明実施例のシフトロック装置が設けられるシフトレバー装置のディテントプレートの、ディテント溝とその近傍のみを示す正面図である。
【符号の説明】
【００２６】
１  シフトレバー装置
２  ディテントプレート
２ａ  ディテント溝
２ｂ  ディテント溝の縁
２ｃ  シャフト
３  シフトレバー
３ａ  第１のシフト位置
３ｂ  第２のシフト位置
４  ディテントピン
４ａ  第１のシフト位置対応位置
４ｂ  第２のシフト位置対応位置
１０  シフトロック装置
２０  リンク
２１  回動軸部
２１ａ  当接部
２２  ストッパ部
２３  連結部
３０  付勢バネ
４０  電磁石
４１  本体部
４２  プランジャ
４２ａ  フランジ部
【図１】
2007326470.tif 000003
【図２】
2007326470.tif 000004
【図３】
2007326470.tif 000005
【図４】
2007326470.tif 000006
【図５】
2007326470.tif 000007
【図６】
2007326470.tif 000008